(57)【要約】スマートブレスレットは、台座と、回転アセンブリと、フレキシブルディスプレイスクリーンとを含み、回転アセンブリは、台座に回転可能に接続され、フレキシブルディスプレイスクリーンは、台座および回転アセンブリによって支持され、回転アセンブリが台座に対して折り畳まれる時、フレキシブルディスプレイスクリーンは曲げられ、第１表示面積を有し、回転アセンブリが台座に対して展開される時、フレキシブルディスプレイスクリーンは展開され、第２表示面積を有し、第２表示面積は、前記第１表示面積よりも大きい。本発明によるスマートブレスレットの表示面積は、変更可能となる。【選択図】図１
2019518237.tif 000002
【特許請求の範囲】
【請求項１】
スマートブレスレットであって、
台座と、回転アセンブリと、フレキシブルディスプレイスクリーンとを含み、
前記回転アセンブリは、前記台座に回転可能に接続され、
前記フレキシブルディスプレイスクリーンは、前記台座および前記回転アセンブリによって支持され、
前記回転アセンブリが前記台座に対して折り畳まれる時、前記フレキシブルディスプレイスクリーンは、曲げられ第１表示面積を有し、
前記回転アセンブリが前記台座に対して展開される時、前記フレキシブルディスプレイスクリーンは、展開され第２表示面積を有し、
前記第２表示面積は、前記第１表示面積よりも大きいことを特徴とする、スマートブレスレット。
【請求項２】
前記台座は、頂面を含み、
前記回転アセンブリは、対向する第１側及び第２側を含み、
前記回転アセンブリは、前記台座に対して折り畳まれる時、前記頂面が前記第１側に対向するように設けられ、前記第２側が前記頂面から離れ、
前記フレキシブルディスプレイスクリーンは、前記頂面、前記第１側及び前記第２側によって共通に支持されることを特徴とする、請求項１に記載のスマートブレスレット。
【請求項３】
前記回転アセンブリは、対向するように設けられる、可動端と、接続端とを含み、
前記接続端は、ヒンジ構造によって前記頂面の第１端と接続され、
前記可動端は、前記接続端の周りを回転可能であることを特徴とする、請求項２に記載のスマートブレスレット。
【請求項４】
前記頂面の第１端の両側に、突出軸が形成され、
前記回転アセンブリの接続端に、貫通孔または凹溝が形成され、
前記貫通孔または前記凹溝は、前記突出軸に合わせて、前記ヒンジ構造を形成することを特徴とする、請求項３に記載のスマートブレスレット。
【請求項５】
前記頂面の第１端の両側に１つの支持片がそれぞれに形成され、前記支持片に突出軸が外側に突出するように形成されることを特徴とする、請求項４に記載のスマートブレスレット。
【請求項６】
前記台座は、支持部材と、前記支持部材の周囲を取り囲むように設けるフレームとを含み、
前記支持部材は、順次接続される、前記頂面と、過渡面と、底面とを含み、
前記過渡面と前記フレームとの間に隙間が形成され、
前記フレキシブルディスプレイスクリーンは、前記隙間を貫通して前記底面まで延びることを特徴とする、請求項２〜４のいずれか１項に記載のスマートブレスレット。
【請求項７】
前記過渡面は、弧面であることを特徴とする、請求項６に記載のスマートブレスレット。
【請求項８】
前記スマートブレスレットは、引っ張りアセンブリをさらに含み、
前記引っ張りアセンブリは、前記底面に位置し、前記底面まで延びる前記フレキシブルディスプレイスクリーンの一端を引っ張るように構成されていることを特徴とする、請求項６に記載のスマートブレスレット。
【請求項９】
前記引っ張りアセンブリは、弾性部材と、保持部材と、を含み、
前記保持部材は、前記フレキシブルディスプレイスクリーンを保持するように構成されており、
前記弾性部材の一端は、前記支持部材の底面に接続され、前記弾性部材の他端は、前記保持部材に接続され、
前記弾性部材は、伸長状態を保つことを特徴とする、請求項８に記載のスマートブレスレット。
【請求項１０】
前記フレキシブルディスプレイスクリーンは、積層されるように設けられるタッチパネル及び表示パネルを含むことを特徴とする、請求項１に記載のスマートブレスレット。
【請求項１１】
前記底面と前記フレームとは、収容溝が囲まれるように設けられ、
前記引っ張りアセンブリは、前記収容溝に収容されることを特徴とする、請求項６に記載のスマートブレスレット。
【請求項１２】
前記スマートブレスレットは、電池と、制御モジュールと、をさらに含み、
前記制御モジュール及び前記電池は、前記収容溝に収容され、
前記制御モジュールは、前記フレキシブルディスプレイスクリーンに電気的に接続され、
前記電池は、前記制御モジュールに電気的に接続されることを特徴とする、請求項１１に記載のスマートブレスレット。
【請求項１３】
前記スマートブレスレットは、背板をさらに含み、
前記背板は、前記フレームに接続され、前記収容溝を閉じるように構成されていることを特徴とする、請求項１１に記載のスマートブレスレット。
【請求項１４】
前記回転アセンブリは、対向するように設けられる、第１側アームと、第２側アームと、コンロッドと、を含み、
前記第１側アームの一端と前記第２側アームの一端とは、前記接続端を構成し、
前記コンロッドは、前記第１側アームの他端と前記第２側アームの他端との間に接続されることにより、前記可動端を構成することを特徴とする、請求項１に記載のスマートブレスレット。
【請求項１５】
前記回転アセンブリは、回転板を含み、
前記回転板の対向する両端は、前記可動端及び前記接続端を構成することを特徴とする、請求項３に記載のスマートブレスレット。
【請求項１６】
前記回転アセンブリは、前記台座に対して折り畳まれる時、前記保持部材が、第１位置にあり、
前記回転アセンブリは、前記台座に対して展開される時、前記保持部材が、第２位置にあり、
前記第１位置は、前記第２位置よりも前記隙間に近いことを特徴とする、請求項９に記載のスマートブレスレット。
【請求項１７】
前記支持部材の前記底面に固定柱が突出するように設けられ、前記弾性部材の一端が前記固定柱に接続されることを特徴とする、請求項９に記載のスマートブレスレット。
【請求項１８】
前記台座の前記頂面は、前記過渡面に向かって徐々に高くなることを特徴とする、請求項６に記載のスマートブレスレット。
【発明の詳細な説明】
【技術分野】
【０００１】
本発明はスマートウェアラブル装置の技術分野に関し、特にスマートブレスレットに関する。
【背景技術】
【０００２】
スマートブレスレットはウェアラブルスマートデバイスであり、現在、ユーザに注目されている技術製品としている。強力な機能を有するスマートブレスレットは、人々の生活に静かに浸透し、変化を与えている。
【０００３】
現在のスマートブレスレットは、多様化した機能の要求のため、様々なディスプレイスクリーンを統合する。しかしながら、スマートブレスレットの形状寸法に制限があるので、ディスプレイスクリーンの表示面積は通常非常に小さくて、ディスプレイスクリーンは、少量の情報のみを表示するように構成され得、ユーザのニーズを満たすことができない。
【発明の概要】
【０００４】
本発明が解決しようとする技術的課題は、可変ディスプレイ面積を有するスマートブレスレットを提供することにある。
【０００５】
上述した目的を実現するために、本発明の実施形態は、以下の技術案を採用する。
【０００６】
本発明の実施形態によるスマートブレスレットは、台座と、回転アセンブリと、フレキシブルディスプレイスクリーンとを含み、前記回転アセンブリは、前記台座に回転可能に接続され、前記フレキシブルディスプレイスクリーンは、前記台座および前記回転アセンブリによって支持され、前記回転アセンブリが前記台座に対して折り畳まれる時、前記フレキシブルディスプレイスクリーンは曲げられ、第１表示面積を有し、前記回転アセンブリが前記台座に対して展開される時、前記フレキシブルディスプレイスクリーンは展開され、第２表示面積を有し、前記第２表示面積は、前記第１表示面積よりも大きい。
【０００７】
従来技術と比較して、本発明は、以下の有利な効果を有する。
【０００８】
本発明のスマートブレスレットは、前記回転アセンブリを回転させることによって、前記回転アセンブリを前記台座に対して折り畳みまたは展開させることができることにより、前記第１表示面積または前記第２表示面積を得る。前記第２表示面積は、前記第１表示面積よりも大きいため、前記スマートブレスレットの表示面積が変更可能となり、様々な表示要求を満たすことができ、特に大画面表示要求を満たすことができる。
【０００９】
本発明の実施形態の技術的手段をより明確に説明するために、実施形態の説明で使用される添付図面を簡単に説明する。明らかに、以下に記載する添付の図面は、本発明のいくつかの実施形態のためのものに過ぎず、当業者は、創造的な努力なしにこれらの添付図面に従って他の添付図面を得ることができる。
【図面の簡単な説明】
【００１０】
【図１】図１は、本発明の実施形態によるスマートブレスレットが折り畳まれる時の構造概略図である。
【図２】図２は、本発明の実施形態によるスマートブレスレットが展開される時の構造概略図である。
【図３】図３は、本発明の実施形態によるスマートブレスレットのベースフレームの構造概略図である。
【図４】図４は、本発明の実施形態によるスマートブレスレットのベースフレームの他の角度の構造概略図である。
【図５】図５は、本発明の実施形態によるスマートブレスレットの一部の構造概略図である。
【図６】図６は、本発明の実施形態によるスマートブレスレットの回転アセンブリの構造概略図である。
【図７】図７は、本発明の実施形態によるスマートブレスレットが折り畳まれる時の断面概略図である。
【図８】図８は、図７のＡ部分の構造の拡大概略図である。
【図９】図９は、本発明の実施形態によるスマートブレスレットが展開される時の断面概略図である。
【図１０】図１０は、図９のＣ部分の構造の拡大概略図である。
【図１１】図１１は、本発明の実施形態によるスマートブレスレットの引っ張りアセンブリの分解概略図である。
【図１２】図１２は、本発明の実施形態によるスマートブレスレットの他の部分の構造概略図である。
【図１３】図１３は、図７のＢ部分の構造の拡大概略図である。
【発明を実施するための形態】
【００１１】
以下に、本発明の実施形態の添付の図面を参照しながら、本発明の実施形態の技術的手段を、明確かつ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に入るものとする。
【００１２】
図１及び図２を参照すると、本発明の実施形態によるスマートブレスレット１００は、ベースフレーム１、回転アセンブリ２、およびフレキシブルディスプレイスクリーン３を含む。前記ベースフレーム１は、台座１１、輪帯１２を含み、前記輪帯１２は、前記台座１１の対向する両端に接続される。前記回転アセンブリ２は、前記台座１１に回転可能に接続される。前記フレキシブルディスプレイスクリーン３は、前記台座１１および前記回転アセンブリ２によって支持される。前記回転アセンブリ２が前記台座１１に対して折り畳まれる時（図１に示すように）、前記フレキシブルディスプレイスクリーン３は曲げられ、第１表示面積を有する。前記回転アセンブリ２が前記台座１１に対して展開される時（図２に示すように）、前記フレキシブルディスプレイスクリーン３は展開され、第２表示面積を有する。前記第２表示面積は、前記第１表示面積よりも大きい。
【００１３】
本実施形態において、前記スマートブレスレット１００は、前記回転アセンブリ２が前記台座１１に対して折り畳まれ、又は前記台座１１に対して展開されるように回転されることにより、前記第１表示面積または前記第２表示面積が得られる。前記第２表示面積は、前記第１表示面積よりも大きいため、前記スマートブレスレット１００の表示面積は、様々な表示要求、特に大画面表示要求を満たすように変更可能となる。
【００１４】
前記回転アセンブリ２が前記台座１１に対して折り畳まれる時、前記回転アセンブリ２の中心が前記台座１１に近接し、前記回転アセンブリ２が前記台座１１に対して展開される時、前記回転アセンブリ２の中心が前記台座１１から離れると理解されるべきである。
【００１５】
好ましくは、前記フレキシブルディスプレイスクリーン３は、表示パネル、タッチパネル、又は積層されるように設けられる表示パネル及びタッチパネルであってもよい。
【００１６】
また、図１〜図５を参照すると、１つの実施形態として、前記台座１１は、支持部材１２と、前記支持部材１２を取り囲むように設けるフレーム１３とを含む。前記支持部材１２は、順次接続される、頂面１２１と、過渡面１２２と、底面１２３とを含む。前記頂面１２１および前記底面１２３は、前記支持部材１２の対向する両側にそれぞれ形成される。
【００１７】
前記回転アセンブリ２は、互いに対向するように設けられる、第１側２０１及び第２側２０２を有する。前記回転アセンブリ２が前記台座１１に対して折り畳まれる時、前記頂面１２１は前記第１側２０１に対向するように設けられ、前記第２側２０２が前記頂面１２１から離れる。
【００１８】
前記フレキシブルディスプレイスクリーン３は、前記頂面１２１、前記第１側２０１及び前記第２側２０２によって共通に支持される。前記回転アセンブリ２は、前記台座１１に対して折り畳まれる時（図１に示すように）、前記第２側２０２によって支持される前記フレキシブルディスプレイスクリーン３の領域は、表示領域であり、前記表示領域が、第１表示面積を有する。前記回転アセンブリ２は、前記台座１１に対して展開される時（図２に示すように）、前記頂面１２１及び前記第１側２０１によって支持される前記フレキシブルディスプレイスクリーン３の領域は、表示領域であり、前記表示領域が、第２表示面積を有する。
【００１９】
前記第１側２０１および前記第２側２０２は、ある固定的な表面に限定されず、前記第１側２０１および前記第２側２０２が主に方位関係を表すためのものであり、前記回転アセンブリ２の２つの対向する方位を表すためのものであると理解されるべきである。
【００２０】
また、図１〜図５を参照すると、１つの実施形態として、前記回転アセンブリ２は、対向するように設けられる、可動端２０３と、接続端２０４とを含む。前記接続端２０４は、ヒンジ構造２０５によって前記頂面１２１の第１端１２１１と接続され、前記可動端２０３は、前記接続端２０４の周りを回転することができる。例えば、前記可動端２０３は、前記頂面１２１の第２端１２１２（前記頂面１２１の第２端１２１２は前記頂面１２１の第１端１２１１に対向するように設けられる）に近接することができることにより、前記回転アセンブリ２は、前記台座１１に対して折り畳まれる。この時、前記回転アセンブリ２の第１側２０１は、前記接続端２０４と前記可動端２０３との間に形成され、前記頂面１２１に向ける。前記可動端２０３は、前記頂面１２１の第２端１２１２から離れることができることにより、前記回転アセンブリ２が前記台座１１に対して展開される。この時、前記回転アセンブリ２の第２側２０２は、前記接続端２０４と前記可動端２０３との間に形成され、前記頂面１２１から離れる。
【００２１】
好ましくは、前記フレーム１３は、制限ステップ１３１を含む。前記制限ステップ１３１は、前記頂面１２１の第２端１２１２に接続され、前記フレキシブルディスプレイスクリーン３を制限するように構成されている。前記制限ステップ１３１は、前記回転アセンブリ２を制限することができると理解されるべきである。
【００２２】
さらに、図１〜図６を参照すると、１つの実施形態として、前記頂面１２１の第１端１２１１は、前記過渡面１２２に近接する前記頂面１２１の一端に形成される。前記頂面１２１の第１端１２１１の両側に、突出軸２０５１が形成される。前記回転アセンブリ２の接続端２０４に、貫通孔２０５２または凹溝が形成される。前記貫通孔２０５２または前記凹溝は、前記突出軸２０５１に合わせて、前記ヒンジ構造２０５を形成することにより、前記回転アセンブリ２が前記台座１１に回転可能に接続される。
【００２３】
言うまでもなく、他の実施形態において、前記回転アセンブリ２の接続端２０４の両側に、突出軸が形成されてもよい。前記頂面１２１の第１端１２１１に、貫通孔または凹溝が形成され、互いに合わせて、前記ヒンジ構造２０５を形成する。
【００２４】
好ましくは、前記支持部材１２は、さらに前記頂面１２１と前記底面１２３との間に接続される接続面１２４を含む。前記接続面１２４は、前記過渡面１２２に端と端とが接続される。前記接続面１２４は、前記フレーム１３と接続される。
【００２５】
図３に示すように、好ましくは、頂面１２１の第１端１２１１の両側に１つの支持片１２５がそれぞれ形成され、前記支持片１２５に外側に突出している突出軸２０５１が設けられる。前記支持片１２５は、前記接続面１２４に貼り合わせられるように設けられてもよく、前記フレーム１３に形成されてもよい。
【００２６】
さらに、図１〜図５、図７及び図８を参照すると、１つの実施形態として、前記過渡面１２２と前記フレーム１３との間に、隙間１２０が形成される。前記フレキシブルディスプレイスクリーン３は、前記間隙１２０を貫通し、前記支持部材１２の前記底面１２３まで延びることができる。例えば、前記フレキシブルディスプレイスクリーン３は、前記支持部材１２の前記頂面１２１、前記回転アセンブリ２の前記接続端２０４、前記可動端２０３、および前記接続端２０４を順に通過した後、前記間隙１２０を貫通し、前記支持部材１２の前記底面１２３まで延びる。
【００２７】
好ましくは、前記過渡面１２２は、平滑になる弧面であるため、前記フレキシブルディスプレイスクリーン３の摩耗を避けることができる。それにより、前記フレキシブルディスプレイスクリーン３は、前記隙間１２０を貫通する際の抵抗、又は前記隙間１２０内に移動する際の抵抗を低減することができる。
【００２８】
さらに、図５、図７〜図１１を参照すると、１つの実施形態として、前記スマートブレスレット１００は、引っ張りアセンブリ４をさらに含む。前記引っ張りアセンブリ４は、前記支持部材１２の前記底面１２３に位置し、底面１２３まで延びる前記フレキシブルディスプレイスクリーン３の一端を引っ張るように構成されている。それにより、前記フレキシブルディスプレイスクリーン３は、常に平に展開する状態にある。
【００２９】
好ましくは、前記引っ張りアセンブリ４は、弾性部材４１と、保持部材４２と、を含む。前記保持部材４２は、前記フレキシブルディスプレイスクリーン３を保持するように構成されている。前記弾性部材４１の一端は、前記支持部材１２の底面１２３に接続され、前記弾性部材４１の他端は、前記保持部材４２に接続され、前記弾性部材４１は、常に伸長状態を保つことができることにより、前記底面１２３まで延びる前記フレキシブルディスプレイスクリーン３の一端が、常に引っ張り力を受ける。
【００３０】
好ましくは、前記支持部材１２の前記頂面１２１は、平面であり、前記フレキシブルディスプレイスクリーン３の一部が前記頂面１２１に貼り合わせられることにより、前記フレキシブルディスプレイスクリーン３と前記頂面１２１との相互固定を実現する。前記フレキシブルディスプレイスクリーン３の一部は、前記回転アセンブリ２の前記第１側２０１および第２側２０２に設けられ、前記フレキシブルディスプレイスクリーン３が、回転アセンブリ２に対して移動することができる。前記フレキシブルディスプレイスクリーン３の固定端（すなわち、前記頂面１２１に貼り合わせられる一端）が前記頂面１２１に固定されたので、前記フレキシブルディスプレイスクリーン３の引っ張り端（すなわち、前記底面１２３に延びる一端）は、前記引っ張りアセンブリ４によって引っ張られることにより、前記回転アセンブリ２に設けられる前記フレキシブルディスプレイスクリーン３の部分を常に平に展開して引っ張った状態にある。よって、前記フレキシブルディスプレイスクリーン３は、良好な表示効果を有し、正確なタッチ感知性能を有することができる。
【００３１】
好ましくは、前記回転アセンブリ２は、前記台座１１に対して折り畳まれる時、前記保持部材４２が、第１位置にある。前記回転アセンブリ２は、前記台座１１に対して展開される時、前記保持部材４２が、第２位置にある。前記第１位置は、前記第２位置よりも隙間１２０に近い。
【００３２】
例えば、図７及び図８に示すように、前記回転アセンブリ２は、前記台座１１に対して折り畳まれる時、前記フレキシブルディスプレイスクリーン３の引っ張り端が前記保持部材４２によって保持され第１位置Ｄにある。図９及び図１０に示すように、前記回転アセンブリ２は、前記台座１１に対して展開される時、前記フレキシブルディスプレイスクリーン３の引っ張り端が前記保持部材４２によって保持されて前記引っ張りアセンブリ４の引っ張り力により、第２位置Ｅに移動する。前記第１位置Ｄは、前記第２位置Ｅよりも隙間１２０に近い。本実施形態において、前記引っ張りアセンブリ４は、前記スマートブレスレット１００の使用状況に応じて、前記フレキシブルディスプレイスクリーン３の位置を自動的に調整することができることにより、異なる表示面積において、底面１２３の上方に位置する前記フレキシブルディスプレイスクリーン３の長さ変化の問題を解決することができる。
【００３３】
好ましくは、前記支持部材１２の前記底面１２３に固定柱が突出するように設けられ、前記弾性部材４１の一端が前記固定柱に接続される。例えば、前記支持部材１２の前記底面１２３に２つの第１固定柱４３が突出するように設けられる。前記弾性部材４１は、２つのバネ４１１を含む。前記保持部材４２に、２つの第２固定柱４４が設けられる。前記２つの第２固定柱４４は、前記保持部材４２の対向する両端にそれぞれ設けられる。前記２つのバネ４１１は、２つの前記第１固定柱４３と２つの前記第２固定柱４４との間に１対１で対応して接続され、且つ伸長状態を保つ。前記保持部材４２はスロット４２１を設ける。前記フレキシブルディスプレイスクリーン３の引っ張り端を前記スロット４２１に挿入することにより、前記フレキシブルディスプレイスクリーン３が前記ブラケットに固定される。
【００３４】
さらに、図７、図１２及び図１３を参照すると、１つの実施形態として、前記支持部材１２の前記底面１２３と前記フレーム１３とは、収容溝１２６が囲まれるように設けられる。前記スマートブレスレット１００は、さらに電池５と、制御モジュール６と、背板７と、を含む。前記制御モジュール６は、前記フレキシブルディスプレイスクリーン３に電気的に接続される。前記電池５は、前記制御モジュール６に電気的に接続され、電源を供給するように構成されている。前記制御モジュール６と前記電池５との両者は、前記収容溝１２６に収容される。前記背板７は、前記フレーム１３に接続され、前記収容溝１２６を閉じるように構成されている。
【００３５】
前記引っ張りアセンブリ４は、前記収容溝１２６に収容される。前記電池５及び／又は前記収容溝１２６は、前記２つのバネ４１１の間に置くことができることにより、前記収容溝１２６におけるアセンブリはコンパクトにすることができるため、前記スマートブレスレット１００の小型化設計に有利である。
【００３６】
さらに、図５及び図６を参照すると、１つの実施形態として、前記回転アセンブリ２は、対向するように設けられる第１側アーム２１、第２側アーム２２及びコンロッド２３を含む。前記第１側アーム２１と、前記第２側アーム２２と、前記コンロッド２３とは、ストライプ状を呈する。前記第１側アーム２１の一端と前記第２側アーム２２の一端とは、前記回転アセンブリ２の前記接続端２０４を構成する。前記第１側アーム２１の一端及び前記第２側アーム２２の一端に貫通孔２０５２または凹溝が開かれるように設けられる。前記コンロッド２３は、前記第１側アーム２１の他端と前記第２側アーム２２の他端との間に接続されることにより、前記回転アセンブリ２の前記可動端２０３を構成する。
【００３７】
図１、図２、図６、図７及び図９を参照すると、前記第１側アーム２１と前記第２側アーム２２との間の距離は、前記フレキシブルディスプレイスクリーン３の幅よりも大きい。それにより、前記フレキシブルディスプレイスクリーン３は、前記第１側アーム２１及び前記第２側アーム２２に対して移動することができることにより、前記スマートブレスレット１００の使用状況に応じて、最も適切な位置になるように随時調整することができる。
【００３８】
好ましくは、図２及び図３を参照すると、前記頂面１２１は、一定の傾度を有することにより、前記回転アセンブリ２は、前記台座１１に対して展開される時、前記フレキシブルディスプレイスクリーン３の表示領域が平坦である。例えば、前記台座１１の前記頂面１２１は、前記過渡面１２２に向かって徐々に高くなる。
【００３９】
言うまでもなく、他の実施形態において、前記回転アセンブリ２は、１つの回転板を含むことができる。前記回転板は実質的に長方形である。前記回転板の対向する両端は、すなわち前記回転アセンブリ２の前記可動端２０３及び前記接続端２０４である。前記接続端２０４に対応する前記回転板の一端には、貫通孔２０５２または凹溝が開かれるように設けられる。この時、前記回転アセンブリ２の前記第１側２０１及び前記第２側２０２は、前記回転板の対向する２つの表面にそれぞれ形成される。
【００４０】
以上、本発明の実施形態について詳細に説明した。本明細書において、具体的な例を適用して本発明の原理および実施形態に説明を行う。上記の実施形態の説明は、単に本発明の方法および主旨を容易に理解するためのものに過ぎず、当業者にとって、本発明の思想に基づいて、具体的な実施形態および適用範囲において変更することがある。上記のように、本明細書の内容は、本発明を限定するものと理解されるべきではない。
【図１】
2019518237.tif 000003
【図２】
2019518237.tif 000004
【図３】
2019518237.tif 000005
【図４】
2019518237.tif 000006
【図５】
2019518237.tif 000007
【図６】
2019518237.tif 000008
【図７】
2019518237.tif 000009
【図８】
2019518237.tif 000010
【図９】
2019518237.tif 000011
【図１０】
2019518237.tif 000012
【図１１】
2019518237.tif 000013
【図１２】
2019518237.tif 000014
【図１３】
2019518237.tif 000015
【手続補正書】
【提出日】平成30年11月12日(2018.11.12)
【手続補正１】
【補正対象書類名】明細書
【補正対象項目名】００１０
【補正方法】変更
【補正の内容】
【００１０】
【図１】図１は、本発明の実施形態によるスマートブレスレットが折り畳まれる時の構造概略図である。
【図２】図２は、図１のスマートブレスレットが展開される時の構造概略図である。
【図３】図３は、図１のスマートブレスレットのベースフレームの構造概略図である。
【図４】図４は、図３のベースフレームの他の角度の構造概略図である。
【図５】図５は、図１のスマートブレスレットの一部の構造概略図である。
【図６】図６は、図１のスマートブレスレットの回転アセンブリの構造概略図である。
【図７】図７は、図１のスマートブレスレットの断面概略図である。
【図８】図８は、図７のＡ部分の構造の拡大概略図である。
【図９】図９は、図２のスマートブレスレットの断面概略図である。
【図１０】図１０は、図９のＣ部分の構造の拡大概略図である。
【図１１】図１１は、図１のスマートブレスレットの引っ張りアセンブリの分解概略図である。
【図１２】図１２は、図１のスマートブレスレットの他の部分の構造概略図である。
【図１３】図１３は、図７のＢ部分の構造の拡大概略図である。
【図１４】図１４は、本発明の他の実施形態によるスマートブレスレットの回転アセンブリの構造概略図である。
【手続補正２】
【補正対象書類名】明細書
【補正対象項目名】００１２
【補正方法】変更
【補正の内容】
【００１２】
図１及び図２を参照すると、本発明の実施形態によるスマートブレスレット１００は、ベースフレーム１、回転アセンブリ２、およびフレキシブルディスプレイスクリーン３を含む。前記ベースフレーム１は、台座１１、輪帯１０を含み、前記輪帯１０は、前記台座１１の対向する両端に接続される。前記回転アセンブリ２は、前記台座１１に回転可能に接続される。前記フレキシブルディスプレイスクリーン３は、前記台座１１および前記回転アセンブリ２によって支持される。前記回転アセンブリ２が前記台座１１に対して折り畳まれる時（図１に示すように）、前記フレキシブルディスプレイスクリーン３は曲げられ、第１表示面積１０１を有する。前記回転アセンブリ２が前記台座１１に対して展開される時（図２に示すように）、前記フレキシブルディスプレイスクリーン３は展開され、第２表示面積１０２を有する。前記第２表示面積１０２は、前記第１表示面積１０１よりも大きい。
【手続補正３】
【補正対象書類名】明細書
【補正対象項目名】００１３
【補正方法】変更
【補正の内容】
【００１３】
本実施形態において、前記スマートブレスレット１００は、前記回転アセンブリ２が前記台座１１に対して折り畳まれ、又は前記台座１１に対して展開されるように回転されることにより、前記第１表示面積１０１または前記第２表示面積１０２が得られる。前記第２表示面積１０２は、前記第１表示面積１０１よりも大きいため、前記スマートブレスレット１００の表示面積は、様々な表示要求、特に大画面表示要求を満たすように変更可能となる。
【手続補正４】
【補正対象書類名】明細書
【補正対象項目名】００１４
【補正方法】変更
【補正の内容】
【００１４】
前記回転アセンブリ２が前記台座１１に対して折り畳まれる時、前記回転アセンブリ２の中心が前記台座１１に重なり、前記回転アセンブリ２が前記台座１１に対して展開される時、前記回転アセンブリ２の中心が前記台座１１から離れると理解されるべきである。
【手続補正５】
【補正対象書類名】明細書
【補正対象項目名】００１８
【補正方法】変更
【補正の内容】
【００１８】
前記フレキシブルディスプレイスクリーン３は、前記頂面１２１、前記第１側２０１及び前記第２側２０２によって共通に支持される。前記回転アセンブリ２は、前記台座１１に対して折り畳まれる時（図１に示すように）、前記第２側２０２によって支持される前記フレキシブルディスプレイスクリーン３の領域は、表示領域であり、前記表示領域が、第１表示面積１０１を有する。前記回転アセンブリ２は、前記台座１１に対して展開される時（図２に示すように）、前記頂面１２１及び前記第１側２０１によって支持される前記フレキシブルディスプレイスクリーン３の領域は、表示領域であり、前記表示領域が、第２表示面積１０２を有する。
【手続補正６】
【補正対象書類名】明細書
【補正対象項目名】００３３
【補正方法】変更
【補正の内容】
【００３３】
好ましくは、前記支持部材１２の前記底面１２３に固定柱が突出するように設けられ、前記弾性部材４１の一端が前記固定柱に接続される。例えば、前記支持部材１２の前記底面１２３に２つの第１固定柱４３が突出するように設けられる。前記弾性部材４１は、２つのバネ４１１を含む。前記保持部材４２に、２つの第２固定柱４４が設けられる。前記２つの第２固定柱４４は、前記保持部材４２の対向する両端にそれぞれ設けられる。前記バネ４１１のそれぞれの対向する両端は、前記第１固定柱４３及び前記第２固定柱４４に対応して接続される。且つ前記２つのバネ４１１が伸長状態を保つ。前記保持部材４２はスロット４２１を設ける。前記フレキシブルディスプレイスクリーン３の引っ張り端を前記スロット４２１に挿入することにより、前記フレキシブルディスプレイスクリーン３が前記保持部材４２に固定される。
【手続補正７】
【補正対象書類名】明細書
【補正対象項目名】００３８
【補正方法】変更
【補正の内容】
【００３８】
好ましくは、図２及び図３を参照すると、前記頂面１２１は、一定の傾度を有することにより、前記回転アセンブリ２は、前記台座１１に対して展開される時、前記フレキシブルディスプレイスクリーン３の表示領域が平坦である。例えば、前記底面１２３と前記台座１１の前記頂面１２１との間の高さは、前記過渡面１２２に向かって徐々に増加される。
【手続補正８】
【補正対象書類名】明細書
【補正対象項目名】００３９
【補正方法】変更
【補正の内容】
【００３９】
言うまでもなく、図６及び図１４に示すように、他の実施形態において、前記回転アセンブリ２は、１つの回転板２ａであってもよい。前記回転板２ａは実質的に長方形である。前記回転板２ａの対向する両端２０３ａ，２０４ａは、すなわち前記回転アセンブリ２の前記可動端２０３及び前記接続端２０４である。前記接続端２０４に対応する前記回転板２ａの一端２０４ａには、貫通孔２０５２ａまたは凹溝が開かれるように設けられる。この時、前記回転アセンブリ２の前記第１側２０１及び前記第２側２０２は、前記回転板２ａの対向する２つの表面２０１ａ，２０２ａにそれぞれ形成される。
【手続補正９】
【補正対象書類名】特許請求の範囲
【補正対象項目名】全文
【補正方法】変更
【補正の内容】
【特許請求の範囲】
【請求項１】
スマートブレスレットであって、
台座と、回転アセンブリと、フレキシブルディスプレイスクリーンとを含み、
前記回転アセンブリは、前記台座に回転可能に接続され、
前記フレキシブルディスプレイスクリーンは、前記台座および前記回転アセンブリによって支持され、
前記回転アセンブリが前記台座に対して折り畳まれる時、前記フレキシブルディスプレイスクリーンは、曲げられ第１表示面積を有し、
前記回転アセンブリが前記台座に対して展開される時、前記フレキシブルディスプレイスクリーンは、展開され第２表示面積を有し、
前記第２表示面積は、前記第１表示面積よりも大きいことを特徴とする、スマートブレスレット。
【請求項２】
前記台座は、頂面を含み、
前記回転アセンブリは、対向する第１側及び第２側を含み、
前記回転アセンブリは、前記台座に対して折り畳まれる時、前記頂面が前記第１側に対向するように設けられ、前記第２側が前記頂面から離れ、
前記フレキシブルディスプレイスクリーンは、前記頂面、前記第１側及び前記第２側によって共通に支持されることを特徴とする、請求項１に記載のスマートブレスレット。
【請求項３】
前記回転アセンブリは、対向するように設けられる、可動端と、接続端とを含み、
前記接続端は、ヒンジ構造によって前記頂面の第１端と接続され、
前記可動端は、前記接続端の周りを回転可能であることを特徴とする、請求項２に記載のスマートブレスレット。
【請求項４】
前記頂面の第１端の両側に、突出軸が形成され、
前記回転アセンブリの接続端に、貫通孔または凹溝が形成され、
前記貫通孔または前記凹溝は、前記突出軸に合わせて、前記ヒンジ構造を形成することを特徴とする、請求項３に記載のスマートブレスレット。
【請求項５】
前記頂面の第１端の両側に１つの支持片がそれぞれに形成され、前記支持片に突出軸が外側に突出するように形成されることを特徴とする、請求項４に記載のスマートブレスレット。
【請求項６】
前記台座は、支持部材と、前記支持部材の周囲を取り囲むように設けるフレームとを含み、
前記支持部材は、順次接続される、前記頂面と、過渡面と、底面とを含み、
前記過渡面と前記フレームとの間に隙間が形成され、
前記フレキシブルディスプレイスクリーンは、前記隙間を貫通して前記底面まで延びることを特徴とする、請求項２に記載のスマートブレスレット。
【請求項７】
前記過渡面は、弧面であることを特徴とする、請求項６に記載のスマートブレスレット。
【請求項８】
前記スマートブレスレットは、引っ張りアセンブリをさらに含み、
前記引っ張りアセンブリは、前記底面に位置し、前記底面まで延びる前記フレキシブルディスプレイスクリーンの一端を引っ張るように構成されていることを特徴とする、請求項６に記載のスマートブレスレット。
【請求項９】
前記引っ張りアセンブリは、弾性部材と、保持部材と、を含み、
前記保持部材は、前記フレキシブルディスプレイスクリーンを保持するように構成されており、
前記弾性部材の一端は、前記支持部材の底面に接続され、前記弾性部材の他端は、前記保持部材に接続され、
前記弾性部材は、伸長状態を保つことを特徴とする、請求項８に記載のスマートブレスレット。
【請求項１０】
前記フレキシブルディスプレイスクリーンは、積層されるように設けられるタッチパネル及び表示パネルを含むことを特徴とする、請求項１に記載のスマートブレスレット。
【請求項１１】
前記底面と前記フレームとは、収容溝が囲まれるように設けられ、
前記引っ張りアセンブリは、前記収容溝に収容されることを特徴とする、請求項６に記載のスマートブレスレット。
【請求項１２】
前記スマートブレスレットは、電池と、制御モジュールと、をさらに含み、
前記制御モジュール及び前記電池は、前記収容溝に収容され、
前記制御モジュールは、前記フレキシブルディスプレイスクリーンに電気的に接続され、
前記電池は、前記制御モジュールに電気的に接続されることを特徴とする、請求項１１に記載のスマートブレスレット。
【請求項１３】
前記スマートブレスレットは、背板をさらに含み、
前記背板は、前記フレームに接続され、前記収容溝を閉じるように構成されていることを特徴とする、請求項１１に記載のスマートブレスレット。
【請求項１４】
前記回転アセンブリは、対向するように設けられる、第１側アームと、第２側アームと、コンロッドと、を含み、
前記第１側アームの一端と前記第２側アームの一端とは、前記接続端を構成し、
前記コンロッドは、前記第１側アームの他端と前記第２側アームの他端との間に接続されることにより、前記可動端を構成することを特徴とする、請求項３に記載のスマートブレスレット。
【請求項１５】
前記回転アセンブリは、回転板であり、
前記回転板の対向する両端は、前記可動端及び前記接続端を構成することを特徴とする、請求項３に記載のスマートブレスレット。
【請求項１６】
前記回転アセンブリは、前記台座に対して折り畳まれる時、前記保持部材が、第１位置にあり、
前記回転アセンブリは、前記台座に対して展開される時、前記保持部材が、第２位置にあり、
前記第１位置は、前記第２位置よりも前記隙間に近いことを特徴とする、請求項９に記載のスマートブレスレット。
【請求項１７】
前記支持部材の前記底面に固定柱が突出するように設けられ、前記弾性部材の一端が前記固定柱に接続されることを特徴とする、請求項９に記載のスマートブレスレット。
【請求項１８】
前記底面と前記台座の前記頂面との間の高さは、前記過渡面に向かって徐々に増加されることを特徴とする、請求項６に記載のスマートブレスレット。
【手続補正１０】
【補正対象書類名】図面
【補正対象項目名】全図
【補正方法】変更
【補正の内容】
【図１】
2019518237.tif 000016
【図２】
2019518237.tif 000017
【図３】
2019518237.tif 000018
【図４】
2019518237.tif 000019
【図５】
2019518237.tif 000020
【図６】
2019518237.tif 000021
【図７】
2019518237.tif 000022
【図８】
2019518237.tif 000023
【図９】
2019518237.tif 000024
【図１０】
2019518237.tif 000025
【図１１】
2019518237.tif 000026
【図１２】
2019518237.tif 000027
【図１３】
2019518237.tif 000028
【図１４】
2019518237.tif 000029
【国際調査報告】
2019518237.tif 000030
2019518237.tif 000031
2019518237.tif 000032
2019518237.tif 000033